【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
前記負極は炭素材料およびスチレンブタジエンゴムを含み、
前記電解液は下記の式（１）で表される不飽和環状炭酸エステルを含む、
二次電池。
【化１】
2013211256.tif 000001
（Ｘはｍ個の＞Ｃ＝ＣＲ１Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【請求項２】
Ｘ線回折法により測定される前記炭素材料の（００２）面における面間隔（ｄ００２）は０．３４ｎｍ以下である、
請求項１記載の二次電池。
【請求項３】
前記負極はカルボキシメチルセルロースを含む、
請求項１または請求項２に記載の二次電池。
【請求項４】
前記ハロゲン基はフッ素基、塩素基、臭素基またはヨウ素基であり、
前記１価の炭化水素基、１価のハロゲン化炭化水素基、１価の酸素含有炭化水素基または１価のハロゲン化酸素含有炭化水素基は炭素数＝１〜１２のアルキル基、炭素数＝２〜１２のアルケニル基、炭素数＝２〜１２のアルキニル基、炭素数＝６〜１８のアリール基、炭素数＝３〜１８のシクロアルキル基、炭素数＝１〜１２のアルコキシ基、それらのうちの２つ以上が結合された基、またはそれらのうちの少なくとも一部の水素基がハロゲン基により置換された基である、
請求項１ないし請求項３のいずれか１項に記載の二次電池。
【請求項５】
前記不飽和環状炭酸エステルは下記の式（２）または式（３）で表される、
請求項１ないし請求項４のいずれか１項に記載の二次電池。
【化２】
2013211256.tif 000002
（Ｒ５〜Ｒ１０は水素基、ハロゲン基、１価の炭化水素基、１価のハロゲン化炭化水素基、１価の酸素含有炭化水素基または１価のハロゲン化酸素含有炭化水素基であり、Ｒ５およびＲ６は互いに結合されていてもよいし、Ｒ７〜Ｒ１０のうちの任意の２つ以上は互いに結合されていてもよい。）
【請求項６】
前記不飽和環状炭酸エステルは下記の式（１−１）〜式（１−５６）で表される、
請求項１ないし請求項５のいずれか１項に記載の二次電池。
【化３】
2013211256.tif 000003
【化４】
2013211256.tif 000004
【化５】
2013211256.tif 000005
【化６】
2013211256.tif 000006
【請求項７】
前記電解液中における前記不飽和環状炭酸エステルの含有量は０．０１重量％〜１０重量％である、
請求項１ないし請求項６のいずれか１項に記載の二次電池。
【請求項８】
前記炭素材料および前記スチレンブタジエンゴムは負極活物質層に含まれており、
前記負極活物質層の厚さは２０μｍ以上である、
請求項１ないし請求項７のいずれか１項に記載の二次電池。
【請求項９】
リチウムイオン二次電池である、
請求項１ないし請求項８のいずれか１項に記載の二次電池。
【請求項１０】
二次電池と、
その二次電池の使用状態を制御する制御部と、
その制御部の指示に応じて前記二次電池の使用状態を切り換えるスイッチ部と
を備え、
前記二次電池は正極および負極と共に電解液を備え、
前記負極は炭素材料およびスチレンブタジエンゴムを含み、
前記電解液は下記の式（１）で表される不飽和環状炭酸エステルを含む、
電池パック。
【化７】
2013211256.tif 000007
（Ｘはｍ個の＞Ｃ＝ＣＲ１Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【請求項１１】
二次電池と、
その二次電池から供給された電力を駆動力に変換する変換部と、
その駆動力に応じて駆動する駆動部と、
前記二次電池の使用状態を制御する制御部と
を備え、
前記二次電池は正極および負極と共に電解液を備え、
前記負極は炭素材料およびスチレンブタジエンゴムを含み、
前記電解液は下記の式（１）で表される不飽和環状炭酸エステルを含む、
電動車両。
【化８】
2013211256.tif 000008
（Ｘはｍ個の＞Ｃ＝ＣＲ１Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【請求項１２】
二次電池と、
その二次電池から電力を供給される１または２以上の電気機器と、
前記二次電池からの前記電気機器に対する電力供給を制御する制御部と
を備え、
前記二次電池は正極および負極と共に電解液を備え、
前記負極は炭素材料およびスチレンブタジエンゴムを含み、
前記電解液は下記の式（１）で表される不飽和環状炭酸エステルを含む、
電力貯蔵システム。
【化９】
2013211256.tif 000009
（Ｘはｍ個の＞Ｃ＝ＣＲ１Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【請求項１３】
二次電池と、
その二次電池から電力を供給される可動部と
を備え、
前記二次電池は正極および負極と共に電解液を備え、
前記負極は炭素材料およびスチレンブタジエンゴムを含み、
前記電解液は下記の式（１）で表される不飽和環状炭酸エステルを含む、
電動工具。
【化１０】
2013211256.tif 000010
（Ｘはｍ個の＞Ｃ＝ＣＲ１Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）
【請求項１４】
二次電池を電力供給源として備え、
前記二次電池は正極および負極と共に電解液を備え、
前記負極は炭素材料およびスチレンブタジエンゴムを含み、
前記電解液は下記の式（１）で表される不飽和環状炭酸エステルを含む、
電子機器。
【化１１】
2013211256.tif 000011
（Ｘはｍ個の＞Ｃ＝ＣＲ１Ｒ２とｎ個の＞ＣＲ３Ｒ４とが任意の順に結合された２価の基である。Ｒ１〜Ｒ４は水素基、ハロゲン基、１価の炭化水素基、１価のハロゲン化炭化水素基、１価の酸素含有炭化水素基または１価のハロゲン化酸素含有炭化水素基であり、Ｒ１〜Ｒ４のうちの任意の２つ以上は互いに結合されていてもよい。ｍおよびｎはｍ≧１およびｎ≧０を満たす。）